(57)【要約】【課題】低背化が図れ、小型でスペースファクタの良い電子機器を提供すること。【解決手段】本発明の電子機器において、回路基板１の端面１ｂの少なくとも一部、又は全面がＬＣＤセル５の背面７ａに対向して配置されているため、回路基板１の厚みの一部、又は全部をＬＣＤセル５の高さの範囲に重複させることができ、低背化が図れて、小型のものが得られる。【選択図】図１
2007199186.tif 000002
【特許請求の範囲】
【請求項１】
ＬＣＤセルと、配線パターンを有し、所望の電気回路が形成された回路基板と、前記ＬＣＤセルと前記配線パターンとを接続する接続端子とを備え、前記回路基板は、前記ＬＣＤセルの背面に直交した状態で配置されると共に、前記回路基板の端面の少なくとも一部、又は全面が前記ＬＣＤセルの背面に対向して配置されたことを特徴とする電子機器。
【請求項２】
前記回路基板には、前記接続端子の端子部を通す孔が設けられ、前記端子部が前記配線パターンに接続されると共に、前記回路基板には、前記ＬＣＤセルを駆動するための駆動回路が設けられたことを特徴とする請求項１記載の電子機器。
【請求項３】
前記接続端子は、前記ＬＣＤセルに接続される接続部と、前記配線パターンに接続される前記端子部と、この端子部と前記接続部とを繋ぐ連結部を有し、前記連結部が前記回路基板の一面側に位置した状態で、前記ＬＣＤセルと前記配線パターンが接続されたことを特徴とする請求項２記載の電子機器。
【請求項４】
前記回路基板の他面側には、前記配線パターンと、前記ＬＣＤセルの背面内に位置した状態で、前記電気回路を形成するための電子部品が搭載されたことを特徴とする請求項３記載の電子機器。
【請求項５】
前記接続端子の前記接続部は、前記ＬＣＤセルのリア基板を挟持可能なクリップ状で形成されたことを特徴とする請求項３、又は４記載の電子機器。
【請求項６】
前記接続端子は、前記接続部と前記連結部と前記端子部とによってコ字状に形成されたことを特徴とする請求項３から５の何れか１項に記載の電子機器。
【発明の詳細な説明】
【技術分野】
【０００１】
本発明は、ＥＴＣ機器等に使用して好適な電子機器に関するものである。
【背景技術】
【０００２】
図４は従来の電子機器の斜視図であり、次に、従来の電子機器の構成を図４に基づいて説明すると、回路基板５１には、種々の電子部品５２が取り付けられて、所望の電気回路が形成されると共に、ＬＣＤセル５３は、回路基板５１上に載置された状態で電気回路に接続され、且つ、回路基板５１に取り付けられて、従来の電子機器が形成されている（例えば、特許文献１参照）。
【特許文献１】特開２００１−１８４５３６号公報
【発明の開示】
【発明が解決しようとする課題】
【０００３】
しかし、従来の電子機器にあっては、ＬＣＤセル５３が回路基板５１上に載置さた状態で、電気回路に接続されるため、回路基板５１の厚み分、高さ方向に高くなって、低背化が図れず、大型になるという問題がある。
【０００４】
本発明は、このような従来技術の実情に鑑みてなされたもので、その目的は、低背化が図れ、小型でスペースファクタの良い電子機器を提供することにある。
【課題を解決するための手段】
【０００５】
上記の目的を達成するために、本発明は、ＬＣＤセルと、配線パターンを有し、所望の電気回路が形成された回路基板と、ＬＣＤセルと配線パターンとを接続する接続端子とを備え、回路基板は、ＬＣＤセルの背面に直交した状態で配置されると共に、回路基板の端面の少なくとも一部、又は全面がＬＣＤセルの背面に対向して配置されたことを特徴としている。
【０００６】
このように構成した本発明は、回路基板の厚みの一部、又は全部をＬＣＤセルの高さの範囲に重複させることができ、低背化が図れて、小型のものが得られる。
【０００７】
また、本発明は、上記発明において、回路基板には、接続端子の端子部を通す孔が設けられ、端子部が配線パターンに接続されると共に、回路基板には、ＬＣＤセルを駆動するための駆動回路が設けられたことを特徴としている。
【０００８】
このように構成した本発明は、駆動回路への接続端子の接続が端子部によって確実にできる。
【０００９】
また、本発明は、上記発明において、接続端子は、ＬＣＤセルに接続される接続部と、配線パターンに接続される端子部と、この端子部と接続部とを繋ぐ連結部を有し、連結部が回路基板の一面側に位置した状態で、ＬＣＤセルと配線パターンが接続されたことを特徴としている。
【００１０】
このように構成した本発明は、接続端子の構成が簡単で、安価なものが得られると共に、コネクタを使用することなく、ＬＣＤセルと配線パターンの接続ができる。
【００１１】
また、本発明は、上記発明において、回路基板の他面側には、配線パターンと、ＬＣＤセルの背面内に位置した状態で、電気回路を形成するための電子部品が搭載されたことを特徴としている。
【００１２】
このように構成した本発明は、電子部品をＬＣＤセルの高さの範囲内に納めることができて、スペースファクタが良く、低背化が図れる。
【００１３】
また、本発明は、上記発明において、接続端子の接続部は、ＬＣＤセルのリア基板を挟持可能なクリップ状で形成されたことを特徴としている。
【００１４】
このように構成した本発明は、ＬＣＤセルへの接続部の取付が確実になると共に、接続部がＬＣＤセルの電極への接続の確実なものが得られる。
【００１５】
また、本発明は、上記発明において、接続端子は、接続部と連結部と端子部とによってコ字状に形成されたことを特徴としている。
【００１６】
このように構成した本発明は、接続端子の構成が簡単で、安価なものが得られると共に、接続端子は、ＬＣＤセルからのはみ出しを少なくできて、低背化が図れる。
【発明の効果】
【００１７】
本発明は、回路基板の厚みの一部、又は全部をＬＣＤセルの高さの範囲に重複させることができ、低背化が図れて、小型のものが得られる。
【発明を実施するための最良の形態】
【００１８】
発明の実施の形態について図面を参照して説明すると、図１は本発明の電子機器に係る要部の断面図、図２は本発明の電子機器に係る要部の平面図、図３は本発明の電子機器に係る接続端子の斜視図である。
【００１９】
次に、本発明の電子機器に係る構成を図１〜図３に基づいて説明すると、回路基板１には、一列状態に設けられた複数の貫通孔である孔２と、下面である他面側に設けられた配線パターン３を有し、この配線パターン３は、孔２の周囲に設けられたランド部３ａを有する。
【００２０】
また、回路基板１の下面側には、ドライバーＩＣやコンデンサ、抵抗等の種々の電子部品４が搭載されて、後述するＬＣＤセル５の駆動回路等の所望の電気回路が形成されている。
【００２１】
ＬＣＤセル５は、フロントガラス６と、リアガラスであるリア基板７と、外部接続用の複数の電極８を有し、このＬＣＤセル５は、回路基板１の前面の切り欠き部１ａ内に位置した状態で、回路基板１に対して垂直状態に配置されている。
【００２２】
即ち、回路基板１は、ＬＣＤセル５の背面７ａに対して直交した状態で配置されると共に、回路基板１の端面１ｂの少なくとも一部、又は全面がＬＣＤセル５の背面７ａに対向して配置されている。
【００２３】
図１では、端面１ｂの全面が背面７ａに対向した状態で、回路基板１の端面１ｂの上端部がリア基板７の上端と面一状態に配置されているが、図１の二点差線で示すように、端面１ｂが背面７ａの内方で対向するようにしても良い。
【００２４】
そして、回路基板１とＬＣＤセル５が組み合わされた際、電子部品４は、ＬＣＤセル５の背面７ａの高さの範囲内に位置した状態となっている。
【００２５】
金属板からなるコ字状の接続端子９は、クリップ状の接続部９ａと、この接続部９ａの頂部から延びる連結部９ｂと、連結部９ｂの端部から接続部９ａと同方向に折り曲げ形成された端子部９ｃを有する。
【００２６】
この接続端子９は、接続部９ａがリア基板７の上部を挟持して電極８に接続され、連結部９ｂがリア基板７の上端部から回路基板１の上面である一面側に沿って延び、端子部９ｃが孔２に挿通されてランド部３ａに半田付けされている。
【００２７】
そして、この接続端子９によって、ＬＣＤセル５は、駆動回路を含む電気回路に接続されて、ＬＣＤセル５が駆動可能となって、本発明の電子機器が形成されている。
【図面の簡単な説明】
【００２８】
【図１】本発明の電子機器に係る要部の断面図である。
【図２】本発明の電子機器に係る要部の平面図である。
【図３】本発明の電子機器に係る接続端子の斜視図である。
【図４】従来の電子機器の斜視図である。
【符号の説明】
【００２９】
１  回路基板
１ａ  切り欠き部
１ｂ端面
２  孔
３  配線パターン
３ａ  ランド部
４  電子部品
５  ＬＣＤセル
６  フロントガラス
７  リア基板（リアガラス）
８  電極
９  接続端子
９ａ  接続部
９ｂ  連結部
９ｃ  端子部
【図１】
2007199186.tif 000003
【図２】
2007199186.tif 000004
【図３】
2007199186.tif 000005
【図４】
2007199186.tif 000006